(57)【要約】【課題】被保持電池を保持孔に確実に固定できると共に、被保持電池が保持孔の中心から偏って配置されるのを防止できる組電池の製造方法を提供すること。【解決手段】組電池１の製造方法は、被保持電池１０の被保持部１５の外周面１５ｍに、周方向ＦＨにテープ長手方向ＧＨを一致させて両面粘着テープ３０を貼り付ける貼付工程と、これを保持孔２０ｈに圧入して、両面粘着テープ３０を介して被保持部１５をその全周の２／３以上にわたり保持孔２０ｈの内周面２０ｈｎに固定する圧入工程とを備える。このうち貼付工程は、両面粘着テープ３０を、テープ厚み方向ＴＨに重ねることなく、かつ、テープ長手方向ＧＨの一方側端縁３２の少なくとも一部と他方側端縁３７の少なくとも一部とが当接または隙間ＳＫを空けて対向する形態に巻き付ける工程である。【選択図】図４
2016091758.tif 000002
【特許請求の範囲】
【請求項１】
複数の被保持電池と、
複数の保持孔を有し、これらの保持孔に上記被保持電池をそれぞれ保持する電池保持部材と、を備える
組電池の製造方法であって、
上記被保持電池のうち、上記保持孔に挿入されて保持される被保持部の外周面に、上記被保持部の周方向にテープ長手方向を一致させて両面粘着テープを貼り付ける貼付工程と、
上記両面粘着テープが貼付された上記被保持部を上記保持孔に圧入して、上記両面粘着テープを介して上記被保持部をその全周の２／３以上にわたり上記保持孔の内周面に固定する圧入工程と、を備え、
上記貼付工程は、
上記被保持部の上記外周面に、上記両面粘着テープを、テープ厚み方向に重ねることなく、かつ、上記テープ長手方向の一方側端縁の少なくとも一部と他方側端縁の少なくとも一部とが当接または隙間を空けて対向する形態に巻き付ける工程である
組電池の製造方法。
【発明の詳細な説明】
【技術分野】
【０００１】
本発明は、複数の被保持電池と、これらを保持する電池保持部材とを備える組電池の製造方法に関する。
【背景技術】
【０００２】
従来より、複数の単電池を電池保持部材で保持してなる組電池が知られている。例えば、特許文献１には、複数の円筒型の素電池を円筒状のホルダ内にそれぞれ収容し、更にこれらのホルダの上部を正極スペーサで固定すると共に、ホルダの下部を負極スペーサで固定した電池モジュールが記載されている（特許文献１の特許請求の範囲及び図２等を参照）。
【先行技術文献】
【特許文献】
【０００３】
【特許文献１】特開２０１３−１９６８１０号公報
【発明の概要】
【発明が解決しようとする課題】
【０００４】
しかしながら、特許文献１の電池モジュールでは、素電池がこれを収容する円筒状のホルダに固定されておらず、また、素電池の軸線方向の寸法（高さ）には個体バラツキがある。このため、電池モジュールに振動や衝撃が加わると、素電池がホルダ内で素電池の径方向及び軸線方向（高さ方向）に移動するので、素電池とホルダとの間、及び、素電池と正極スペーサ及び負極スペーサとの間でガタツキが生じる。
【０００５】
本発明は、かかる現状に鑑みてなされたものであって、複数の被保持電池を電池保持部材の保持孔にそれぞれ保持する組電池において、被保持電池を保持孔に確実に固定できると共に、被保持電池が保持孔の中心から偏って配置されるのを防止できる組電池の製造方法を提供することを目的とする。
【課題を解決するための手段】
【０００６】
上記課題を解決するための本発明の一態様は、複数の被保持電池と、複数の保持孔を有し、これらの保持孔に上記被保持電池をそれぞれ保持する電池保持部材と、を備える組電池の製造方法であって、上記被保持電池のうち、上記保持孔に挿入されて保持される被保持部の外周面に、上記被保持部の周方向にテープ長手方向を一致させて両面粘着テープを貼り付ける貼付工程と、上記両面粘着テープが貼付された上記被保持部を上記保持孔に圧入して、上記両面粘着テープを介して上記被保持部をその全周の２／３以上にわたり上記保持孔の内周面に固定する圧入工程と、を備え、上記貼付工程は、上記被保持部の上記外周面に、上記両面粘着テープを、テープ厚み方向に重ねることなく、かつ、上記テープ長手方向の一方側端縁の少なくとも一部と他方側端縁の少なくとも一部とが当接または隙間を空けて対向する形態に巻き付ける工程である組電池の製造方法である。
【０００７】
この組電池の製造方法によれば、被保持電池の被保持部の外周面に両面粘着テープを貼り付け（貼付工程）、これを電池保持部材の保持孔に圧入して、両面粘着テープを介して被保持部をその全周の２／３以上にわたり保持孔の内周面に固定する（圧入工程）ので、被保持電池（被保持部）と保持孔との間でガタツキを生じることなく、確実に被保持電池を電池保持部材に固定できる。
更に、貼付工程では、被保持部の外周面に、両面粘着テープを、テープ厚み方向に重ねることなく（２層以上に重ねることなく）、テープ長手方向の一方側端縁の少なくとも一部と他方側端縁の少なくとも一部とが当接または隙間を空けて対向する形態に巻き付ける。これにより、両面粘着テープが１層だけ被保持電池の被保持部の全周或いは全周のうち長い範囲にわたり貼り付けられるので、圧入工程において、被保持電池の被保持部が、保持孔の中心から偏って配置されるのを防止できる。
【０００８】
なお、「被保持電池」としては、電池ケース内に１つの電極体を有する単電池のほか、電池ケース内に複数の電極体を有する電池が挙げられる。また、被保持電池の「被保持部」の形態としては、例えば、円筒型（円柱状）、楕円筒型（楕円柱状）、角型（角部が丸められた角柱状（横断面がいわゆる角丸状の形態））が挙げられる。
「保持孔」は、例えば、被保持電池の保持部と相似形態で、両面粘着テープの厚みよりも小さい寸法だけ被保持部よりも大きい形態としたものが挙げられる。例えば、円柱状の被保持部に対し、これよりも両面粘着テープの厚みよりも小さい寸法だけ大径な円孔が挙げられるが、保持孔は被保持部と完全な相似形態でなくてもよい。
【０００９】
両面粘着テープの「一方側端縁」及び「他方側端縁」は、それらの全体を被保持電池の圧入方向に平行な直線形状としてもよいし、被保持電池の圧入方向に交差する直線形状や曲線形状などとしてもよい。また、一方側端縁及び他方側端縁の一部を被保持電池の圧入方向に平行な直線形状とし、残りの部分を被保持電池の圧入方向に交差する直線形状や曲線形状としてもよい。但し、この場合には、長い範囲にわたり一方側端縁の一部と他方側端縁の一部とが対向する形態となるように、一方側端縁と他方側端縁を相補形状とすると良い。
【００１０】
更に、上記の組電池の製造方法であって、前記圧入工程は、前記両面粘着テープを介して前記被保持部をその全周の９５％以上にわたり前記保持孔の前記内周面に固定する工程である組電池の製造方法とするのが好ましい。
【００１１】
この組電池の製造方法によれば、圧入工程において、両面粘着テープを介して被保持部をその全周の９５％以上にわたり保持孔の内周面に固定するので、更に確実に被保持電池を電池保持部材に固定できる。また、貼付工程で、両面粘着テープが１層だけ被保持電池の被保持部の全周或いはほぼ全周にわたり貼り付けられるので、圧入工程において、被保持電池の被保持部が保持孔の中心から偏って配置されるのを、更に確実に防止できる。
【００１２】
更に、上記のいずれかに記載の組電池の製造方法であって、前記貼付工程で貼付された前記両面粘着テープの前記一方側端縁及び前記他方側端縁は、それぞれ前記被保持電池の圧入方向に交差し、かつ、互いに対向する一方側交差対向部及び他方側交差対向部を含む形態に形成されてなり、前記圧入工程は、圧入により前記両面粘着テープを圧縮し、上記一方側端縁を含む一方側端部及び上記他方側端縁を含む他方側端部を押し広げて、上記一方側交差対向部の少なくとも一部と上記他方側交差対向部の少なくとも一部とを密接させる工程である組電池の製造方法とするのが好ましい。
【００１３】
この組電池の製造方法によれば、貼付工程で貼付された両面粘着テープの一方側端縁及び他方側端縁は、それぞれ被保持電池の圧入方向に交差し、かつ、互いに対向する一方側交差対向部及び他方側交差対向部を含む形態に形成する。しかも、圧入工程において、圧入により一方側端部及び他方側端部を押し広げて、一方側交差対向部の少なくとも一部と他方側交差対向部の少なくとも一部とを密接させる。このため、これら一方側交差対向部及び他方側交差対向部を圧入方向に平行な形態とする場合に比べて、長い範囲にわたり両者を密接できる。一方側交差対向部及び他方側交差対向部は、圧入により、圧入方向に直交する方向に比して圧入方向に大きく移動するので、一方側交差対向部と他方側交差対向部とが密接し易いからである。これにより、両面粘着テープを用いながらも（接着剤などで保持孔の内周面と被保持部の外周面との隙間を充填しなくても）、保持孔の軸線方向について、保持孔の内周面と被保持部の外周面との間を気密に封止できる。
【００１４】
なお、「両面粘着テープ」としては、圧縮により変形し易い弾性を有する厚い基材を用いたものを採用すると良い。具体的には、アクリル系、ポリエステル系、シリコン系の基材を用いるのが好ましい。
【００１５】
更に、上記の組電池の製造方法であって、前記貼付工程で貼付された前記両面粘着テープの前記一方側端縁及び前記他方側端縁は、複数の前記一方側交差対向部と複数の前記他方側交差対向部とが噛み合って対向するジグザグ形状に形成されてなり、前記圧入工程は、複数の上記一方側交差対向部と複数の上記他方側交差対向部とをそれぞれ密接させる工程である組電池の製造方法とするのが好ましい。
【００１６】
この組電池の製造方法によれば、貼付工程で貼付された両面粘着テープの一方側端縁及び他方側端縁は、上述のジグザグ形状に形成する。その上、圧入工程において、複数の一方側交差対向部と複数の他方側交差対向部とをそれぞれ密接させる。これにより、保持孔の内周面と被保持部の外周面との間を、更に確実に気密に封止できる。
【００１７】
更に、上記のいずれかに記載の組電池の製造方法であって、前記被保持電池は、円柱状であり、前記保持孔は、前記被保持部を圧入する入口側ほど内径が大きく、上記保持孔のうち、上記入口側の第１開口縁の内径Ｄａが、前記被保持部及びこれに貼り付けた前記両面粘着テープの外径Ｄｃよりも大きく、かつ、上記入口側とは反対側の第２開口縁の内径Ｄｂが、上記外径Ｄｃよりも小さい（Ｄｂ＜Ｄｃ＜Ｄａ）テーパ形状を有する組電池の製造方法とするのが好ましい。
【００１８】
被保持部及びこれに貼り付けた両面粘着テープの外径Ｄｃが、保持孔の入口側の第１開口縁の内径Ｄａよりも小さいので、圧入工程で両面粘着テープが貼付された被保持部を、確実に保持孔内に挿入できる。一方で、被保持部及びこれに貼り付けた両面粘着テープの外径Ｄｃが、保持孔の入口側とは反対側の第２開口縁の内径Ｄｂよりも大きいので、確実に保持孔内で両面粘着テープを介して被保持部を固定できる。
【００１９】
また、他の態様は、複数の被保持電池と、複数の保持孔を有し、これらの保持孔に上記被保持電池をそれぞれ保持する電池保持部材と、を備える組電池であって、上記被保持電池のうち上記保持孔内に保持された被保持部の外周面と、上記保持孔の内周面との間に、上記外周面及び上記内周面にそれぞれ粘着する両面粘着テープを、上記被保持部の周方向にテープ長手方向を一致させ、テープ厚み方向に重ねることなく、かつ、上記テープ長手方向の一方側端縁の少なくとも一部と他方側端縁の少なくとも一部とが対向する形態に介在させ、上記両面粘着テープを介して上記被保持部をその全周の２／３以上にわたり上記保持孔の上記内周面に固定してなる組電池である。
【００２０】
この組電池では、両面粘着テープで被保持電池の被保持部をその全周の２／３以上にわたり保持孔の内周面に固定しているので、被保持部と保持孔との間でガタツキを生じることがない。更に、この両面粘着テープを、被保持部の周方向にテープ長手方向を一致させ、テープ厚み方向に重ねることなく、一方側端縁の少なくとも一部と他方側端縁の少なくとも一部とが対向する形態に介在させている。このため、被保持部の外周面と保持孔の内周面との間隔が周方向に均一となり、被保持電池の被保持部が保持孔の中心に配置される。
【００２１】
更に、上記の組電池であって、前記両面粘着テープを介して前記被保持部をその全周の９５％以上にわたり前記保持孔の前記内周面に固定してなる組電池とするのが好ましい。
【００２２】
この組電池では、両面粘着テープで被保持電池の被保持部をその全周の９５％以上にわたり保持孔の内周面に固定しているので、更に確実に被保持電池を電池保持部材に固定できる。また、被保持部の外周面と保持孔の内周面との間隔が周方向に更に均一となり、被保持電池の被保持部が保持孔の中心に更に確実に配置される。
【００２３】
更に、上記のいずれかに記載の組電池であって、前記両面粘着テープの前記一方側端縁及び前記他方側端縁は、それぞれ前記保持孔の軸線方向に交差し、かつ、互いに対向する一方側交差対向部及び他方側交差対向部を含み、上記一方側交差対向部の少なくとも一部と上記他方側交差対向部の少なくとも一部とが密接してなる組電池とするのが好ましい。
【００２４】
この組電池では、上述の一方側交差対向部と他方側交差対向部とが少なくとも一部で密接している。このため、両面粘着テープを用いながらも（接着剤などで保持孔の内周面と被保持部の外周面との隙間を充填しなくても）、保持孔の軸線方向について、保持孔の内周面と被保持部の外周面との間を気密に封止できる。
【００２５】
更に、上記の組電池であって、前記両面粘着テープの前記一方側端縁及び前記他方側端縁は、複数の前記一方側交差対向部と複数の前記他方側交差対向部とが噛み合って対向するジグザグ形状を有し、複数の上記一方側交差対向部と複数の上記他方側交差対向部とがそれぞれ密接してなる組電池とすると良い。
【００２６】
この組電池では、複数の一方側交差対向部と複数の他方側交差対向部とがそれぞれ密接しているので、保持孔の内周面と被保持部の外周面との間を更に確実に気密に封止した組電池となる。
【図面の簡単な説明】
【００２７】
【図１】実施形態に係る組電池を示す説明図である。
【図２】実施形態に係る組電池のうち、単電池が電池保持部材の保持孔に保持された状態を示す説明図である。
【図３】実施形態に係る組電池のうち、両面粘着テープの一方側端部及び他方側端部の近傍を示す説明図である。
【図４】実施形態に係る組電池の製造方法に関し、両面粘着テープが貼付された単電池を電池保持部材の保持孔に圧入する圧入工程を示す説明図である。
【図５】実施形態に係る組電池の製造方法に関し、圧入工程前の、単電池の被保持部に貼付された両面粘着テープの一方側端部及び他方側端部の近傍を示す説明図である。
【発明を実施するための形態】
【００２８】
以下、本発明の実施の形態を、図面を参照しつつ説明する。図１〜図３に、本実施形態に係る組電池１を示す。なお、以下では、図１〜図３における上方を組電池１の上側、下方を組電池１の下側として説明する。この組電池１は、複数（具体的には６０個）の単電池（被保持電池）１０と、これらをそれぞれ保持孔２０ｈで保持する電池保持部材２０と、単電池１０と電池保持部材２０の保持孔２０ｈとの間に介在する両面粘着テープ３０とを備える。
【００２９】
各々の単電池１０は、円筒型（円柱状）で密閉型のリチウムイオン二次電池（具体的には１８６５０型のリチウムイオン二次電池）である。この単電池１０の外径ＤｄはＤｄ＝１８．２５ｍｍ、軸線ＡＸに沿う軸線方向ＡＨの長さ（高さ）ＨｄはＨｄ＝６５ｍｍである（図４参照）。この電池１０は、円筒状の電池ケース１１の内部に、帯状の正極板と帯状の負極板とを帯状のセパレータを介して互いに重ねて円筒状に捲回した電極体（不図示）が非水電解液（不図示）と共に収容されてなる。電池１０の軸線方向ＡＨの一端面（図１及び図２中、上方）には、電池内部で電極体の正極板と電気的に接続する凸状の正極端子１２が設けられている。また、電池１０の軸線方向ＡＨの他端面（底面、図１及び図２中、下方）は、電池内部で電極体の負極板と電気的に接続する負極端子１３とされている。
【００３０】
電池保持部材２０は、金属（具体的にはアルミニウム）からなり、平面視矩形状をなす。この電池保持部材２０には、複数（具体的には６０個）の円筒状の保持孔２０ｈが形成されている。これらの保持孔２０ｈは、上方或いは下方から見て、千鳥格子状に４段１５列に並んで配置されている。各々の保持孔２０ｈは、後述する圧入工程で単電池１０が圧入される入口側（図１及び図２中、上方）ほど内径が大きいテーパ形状を有する。具体的には、入口側の第１開口縁２０ｈａの内径ＤａはＤａ＝１８．９０ｍｍであり、入口側とは反対側（図１及び図２中、下方）の第２開口縁２０ｈｂの内径ＤｂはＤｂ＝１８．６０ｍｍとなっている（図４参照）。また、保持孔２０ｈの軸線ＢＸに沿う軸線方向ＢＨの長さ（高さ）ＨａはＨａ＝１５ｍｍである。
【００３１】
これらの保持孔２０ｈには、それぞれ単電池１０のうち被保持部１５が挿入されている。これに伴い、電池保持部材２０の保持孔２０ｈから上方に突出部１６がそれぞれ突出している。組電池１を構成するすべての単電池１０は、正極端子１２を上方に、負極端子１３を下方に向けて、高さを揃えて配置されている。また、これらの単電池１０は、上方或いは下方から見て、保持孔２０ｈの配置に従って千鳥格子状に並んでいる。これらの単電池１０同士は、図示しないバスバによって電気的に接続される。
【００３２】
両面粘着テープ３０は、単電池１０のうち、電池保持部材２０の保持孔２０ｈ内に挿入された被保持部１５の外周面１５ｍと、保持孔２０ｈの内周面２０ｈｎの間に配置され、外周面１５ｍ及び内周面２０ｈｎにそれぞれ粘着している。これにより、両面粘着テープ３０を介して被保持部１５がその全周にわたり保持孔２０ｈの内周面２０ｈｎに固定されている。この両面粘着テープ３０は、基材がポリエチレンテレフタレート （ＰＥＴ）、粘着剤がアクリル系粘着剤からなり、熱伝導性に優れ、絶縁性及び難燃性を有する。本実施形態では、両面粘着テープ３０として、ＤＩＣ株式会社製の「ＴＣＰ−２５０Ｒ」を用いた。両面粘着テープ３０の圧入前の厚みＴａはＴａ＝０．２５ｍｍ、また、両面粘着テープ３０の圧入前の幅ＷａはＷａ＝１０ｍｍである（図４参照）。また、圧入前の被保持部１５及びこれに貼り付けた両面粘着テープの外径Ｄｃは、Ｄｃ＝Ｄｄ＋２×Ｔａ＝１８．７５ｍｍである。
【００３３】
この両面粘着テープ３０は、被保持部１５の外周面１５ｍと保持孔２０ｈの内周面２０ｈｎの間に、被保持部１５の周方向ＦＨにテープ長手方向ＧＨを一致させ、かつ、テープ厚み方向ＴＨに重なることなく、一層のみが介在している。両面粘着テープ３０は、テープ長手方向ＧＨの一方側端部３１のうち一方側端縁３２の一部と、他方側端部３６のうち他方側端縁３７の一部とが対向している。
【００３４】
一方側端縁３２は、ジグザグ状となっており、後に詳述する複数（具体的には６つ）の一方側交差対向部３３と、複数（具体的には２つ）の一方側平行対向部３４と、複数（具体的には５つ）の一方側非対向部３５とからなる。２つの一方側平行対向部３４は、テープ幅方向ＣＨの両端にそれぞれ位置し、これらの間に６つの一方側交差対向部３３と５つの一方側非対向部３５とが交互に位置している。
また、他方側端縁３７は、一方側端縁３２と噛み合うジグザグ形状となっており、後に詳述する複数（具体的には６つ）の他方側交差対向部３８と、複数（具体的には２つ）の他方側平行対向部３９と、複数（具体的には５つ）の他方側非対向部４０とからなる。２つの他方側平行対向部３９は、テープ幅方向ＣＨの両端にそれぞれ位置し、これらの間に６つの他方側交差対向部３８と５つの他方側非対向部４０が交互に位置している。
【００３５】
これらのうち一方側交差対向部３３は、保持孔２０ｈの軸線方向ＢＨに交差し、かつ、他方側交差対向部３８と対向する部位である。各々の一方側交差対向部３３の一部は、対向する他方側交差対向部３８の一部と密接している。これにより、保持孔２０ｈの軸線方向ＢＨについて、保持孔２０ｈの内周面２０ｈｎと被保持部１５の外周面１５ｍとの間が気密に封止されている。
また、一方側平行対向部３４は、保持孔２０ｈの軸線方向ＢＨに平行で、かつ、他方側平行対向部３９と対向する部位である。
また、一方側非対向部３５は、他方側端縁３７とは対向しない部位である。
【００３６】
一方、他方側交差対向部３８は、保持孔２０ｈの軸線方向ＢＨに交差し、かつ、前述のように一方側交差対向部３３と対向する部位である。各々の他方側交差対向部３８の一部は、前述のように、対向する一方側交差対向部３３の一部と密接している。
また、他方側平行対向部３９は、保持孔２０ｈの軸線方向ＢＨに平行で、かつ、前述のように一方側平行対向部３４と対向する部位である。
また、他方側非対向部４０は、一方側端縁３２とは対向しない部位である。
【００３７】
以上で説明したように、この組電池１では、両面粘着テープ３０で単電池１０の被保持部１５をその全周にわたり電池保持部材２０の保持孔２０ｈの内周面２０ｈｎに固定しているので、被保持部１５と保持孔２０ｈとの間でガタツキを生じることがない。更に、この両面粘着テープ３０を、被保持部１５の周方向ＦＨにテープ長手方向ＧＨを一致させ、テープ厚み方向ＴＨに重ねることなく、一方側端縁３２の一部（具体的には一方側交差対向部３３及び一方側平行対向部３４）と他方側端縁３７の一部（具体的には他方側交差対向部３８及び他方側平行対向部３９）とが対向する形態に介在させている。このため、被保持部１５の外周面１５ｍと保持孔２０ｈの内周面２０ｈｎとの間隔が周方向ＦＨに均一となり、単電池１０の被保持部１５が保持孔２０ｈの中心に配置される。しかも、各々の単電池１０が保持孔２０ｈの軸線ＢＸに対して傾くことなく真っ直ぐに配置された組電池１とすることができる。
【００３８】
また本実施形態では、一方側交差対向部３３の一部と他方側交差対向部３８の一部とが密接している。このため、両面粘着テープ３０を用いながらも（接着剤などで保持孔２０ｈの内周面２０ｈｎと被保持部１５の外周面１５ｍとの隙間を充填しなくても）、保持孔２０ｈの軸線方向ＢＨについて、保持孔２０ｈの内周面２０ｈｎと被保持部１５の外周面１５ｍとの間を気密に封止できる。
更に本実施形態では、両面粘着テープ３０の一方側端縁３２及び他方側端縁３７は、複数の一方側交差対向部３３と複数の他方側交差対向部３８とが噛み合って対向するジグザグ形状を有し、複数の一方側交差対向部３３と複数の他方側交差対向部３８とがそれぞれ密接している。このように一方側端縁３２と他方側端縁３７とを複数箇所で密接させることで、保持孔２０ｈの内周面２０ｈｎと被保持部１５の外周面１５ｍとの間を更に確実に気密に封止した組電池１となる。
【００３９】
次いで、上記組電池１の製造方法について説明する。まず、複数（６０個）の単電池１０と、複数（６０個）の保持孔２０ｈを有する電池保持部材２０を用意すると共に、両面粘着テープ３０を、ジグザグ形状の一方側端縁３２及び他方側端縁３７を有する所定形状に予め切断しておく。
【００４０】
そして、貼付工程において、各々の単電池１０の被保持部１５の外周面１５ｍに、単電池１０の軸線方向ＡＨに直交する被保持部１５の周方向ＦＨに、テープ長手方向ＧＨを一致させて両面粘着テープ３０を貼り付ける（図４及び図５参照）。その際、両面粘着テープ３０を、被保持部１５の外周面１５ｍに、テープ厚み方向ＴＨに重ねることなく、かつ、テープ長手方向ＧＨの一方側端縁３２の一部（具体的には一方側交差対向部３３及び一方側平行対向部３４）と他方側端縁３７の一部（具体的には他方側交差対向部３８及び他方側平行対向部３９）とが隙間ＳＫを空けて対向する形態に巻き付ける。
この貼付工程を終えた時点で、被保持部１５に貼付された両面粘着テープ３０の一方側端縁３２及び他方側端縁３７は、それぞれ単電池１０の後述する圧入方向ＤＨに交差し、かつ、互いに対向する複数の一方側交差対向部３３と複数の他方側交差対向部３８とが噛み合うジグザグ形状となっている。
【００４１】
次に、圧入工程において、両面粘着テープ３０が貼付された単電池１０の被保持部１５をそれぞれ電池保持部材２０の保持孔２０ｈに圧入して、両面粘着テープ３０を介して被保持部１５をその全周にわたり保持孔２０ｈの内周面２０ｈｎに固定する。その際、圧入によって被保持部１５の外周面１５ｍと保持孔２０ｈの内周面２０ｈｎとの間で両面粘着テープ３０を圧縮し、一方側端部３１及び他方側端部３６をそれぞれ押し広げて、複数の互いに対向する一方側交差対向部３３と他方側交差対向部３８とをそれぞれ密接させる（図３参照）。
【００４２】
その後は、電池保持部材２０に保持された単電池１０同士を、図示しないバスバを用いて電気的に接続する。かくして、組電池１が完成する。
【００４３】
以上で説明したように、上述の組電池１の製造方法によれば、単電池１０の被保持部１５の外周面１５ｍに両面粘着テープ３０を貼り付け（貼付工程）、これを電池保持部材２０の保持孔２０ｈに圧入して、両面粘着テープ３０を介して被保持部１５をその全周にわたり保持孔２０ｈの内周面２０ｈｎに固定する（圧入工程）ので、単電池１０（被保持部１５）と保持孔２０ｈとの間でガタツキを生じることなく、確実に各々の単電池１０を電池保持部材２０に固定できる。
【００４４】
更に、貼付工程で、被保持部１５の外周面１５ｍに、両面粘着テープ３０を、テープ厚み方向ＴＨに重ねることなく（２層以上に重ねることなく）、一方側端縁３２の一部（一方側交差対向部３３及び一方側平行対向部３４）と他方側端縁３７の一部（他方側交差対向部３８及び他方側平行対向部３９）とが隙間ＳＫを空けて対向する形態に巻き付ける。これにより、両面粘着テープ３０が１層だけ単電池１０の被保持部１５の全周にわたり貼り付けられるので、圧入工程において、単電池１０の被保持部１５が、保持孔２０ｈの中心から偏って配置されるのを防止できる。
【００４５】
また本実施形態では、貼付工程で貼付された両面粘着テープ３０の一方側端縁３２及び他方側端縁３７は、それぞれ単電池１０の圧入方向ＤＨに交差し、かつ、互いに対向する一方側交差対向部３３及び他方側交差対向部３８を含む形態に形成する。しかも、圧入工程において、圧入により一方側端部３１及び他方側端部３６を押し広げて、一方側交差対向部３３の一部と他方側交差対向部３８の一部とを密接させる。このため、これら一方側交差対向部３３及び他方側交差対向部３８を圧入方向ＤＨに平行な形態とする場合に比べて、長い範囲にわたり両者を密接できる。一方側交差対向部３３及び他方側交差対向部３８は、圧入により、圧入方向ＤＨに直交する方向に比して圧入方向ＤＨに大きく移動するので、一方側交差対向部３３と他方側交差対向部３８とが密接し易いからである。これにより、両面粘着テープ３０を用いながらも（接着剤などで保持孔２０ｈの内周面２０ｈｎと被保持部１５の外周面１５ｍとの隙間を充填しなくても）、保持孔２０ｈの軸線方向ＢＨについて、保持孔２０ｈの内周面２０ｈｎと被保持部１５の外周面１５ｍとの間を気密に封止できる。
【００４６】
更に本実施形態では、貼付工程で貼付された両面粘着テープ３０の一方側端縁３２及び他方側端縁３７は、前述のようにジグザグ形状に形成する。その上、圧入工程において、複数の一方側交差対向部３３と複数の他方側交差対向部３８とをそれぞれ密接させる。これにより、保持孔２０ｈの内周面２０ｈｎと被保持部１５の外周面１５ｍとの間を、更に確実に気密に封止できる。
【００４７】
また本実施形態では、保持孔２０ｈが、単電池１０の被保持部１５を圧入する入口側ほど内径が大きいテーパ形状を有し、被保持部１５及びこれに貼り付けた両面粘着テープ３０の外径Ｄｃ（＝１８．７５ｍｍ）が、保持孔２０ｈの入口側の第１開口縁２０ｈａの内径Ｄａ（＝１８．９０ｍｍ）よりも小さいので、圧入工程で両面粘着テープ３０が貼付された被保持部１５を、確実に保持孔２０ｈ内に挿入できる。一方で、上記外径Ｄｃ（＝１８．７５ｍｍ）が、保持孔２０ｈの入口側とは反対側の第２開口縁２０ｈｂの内径Ｄｂ（＝１８．６０ｍｍ）よりも大きいので、確実に保持孔２０ｈ内で両面粘着テープ３０を介して被保持部１５を固定できる。
【００４８】
以上において、本発明を実施形態に即して説明したが、本発明は上述の実施形態に限定されるものではなく、その要旨を逸脱しない範囲で、適宜変更して適用できることは言うまでもない。
例えば、実施形態では、電池保持部材２０を金属により形成したが、これに限られず、電池保持部材２０は例えば樹脂で形成してもよい。
【００４９】
また、実施形態では、両面粘着テープ３０で被保持部１５をその全周にわたり保持孔２０ｈの内周面２０ｈｎに固定した例を示したが、保持孔２０ｈの軸線方向ＢＨについての封止を求めない場合には、被保持部１５をその全周の２／３以上、より好ましくは全周の９５％以上にわたり保持孔２０ｈの内周面２０ｈｎに固定するようにしてもよい。具体的には、両面粘着テープ３０のうち一方側端縁３２と他方側端縁３７との隙間ＳＫを大きく取って、単電池１０の被保持部１５を保持孔２０ｈに圧入しても、一方側端縁３２と他方側端縁３７とが密接しない形態とすることもできる。この場合でも、被保持部１５をその全周の長い範囲にわたり保持孔２０ｈの内周面２０ｈｎに固定するので、実施形態と同様、単電池１０の被保持部１５を保持孔２０ｈの中心に配置して確実に固定できる。
【符号の説明】
【００５０】
１  組電池
１０  単電池（被保持電池）
１５  被保持部
１５ｍ  （被保持部の）外周面
２０  電池保持部材
２０ｈ  保持孔
２０ｈｎ  （保持孔の）内周面
２０ｈａ  第１開口縁
２０ｈｂ  第２開口縁
３０  両面粘着テープ
３１  一方側端部
３２  一方側端縁
３３  一方側交差対向部
３６  他方側端部
３７  他方側端縁
３８  他方側交差対向部
ＡＸ  （単電池の）軸線
Ｄｄ  （単電池の）外径
ＢＸ  （保持孔の）軸線
Ｄａ  （第１開口縁の）内径
Ｄｂ  （第２開口縁の）内径
Ｔａ  （両面粘着テープの圧入前の）厚み
Ｄｃ  （圧入前の被保持部及びこれに貼り付けた両面粘着テープの）外径
ＦＨ  （被保持部の）周方向
ＧＨ  テープ長手方向
ＴＨ  テープ厚み方向
ＤＨ  圧入方向
ＳＫ  隙間
【図１】
2016091758.tif 000003
【図２】
2016091758.tif 000004
【図３】
2016091758.tif 000005
【図４】
2016091758.tif 000006
【図５】
2016091758.tif 000007